(57)【特許請求の範囲】
【請求項１】
互いに異なる用途で製作された少なくとも二つの音源及び当該少なくとも二つの音源それぞれに関連する少なくとも二つの動画クリップをパッケージで構成する段階、およびユーザ端末を対象として前記パッケージを提供する段階を含み、
前記パッケージは、当該パッケージの紹介用のイメージまたはアイコンとして使用されるサムネイルイメージを含んで構成され、
前記ユーザ端末で互いに異なる用途に使用される少なくとも二つのサウンドが前記パッケージに含まれた音源で一括設定され、
前記サムネイルイメージは前記パッケージの詳細情報を確認するためのパッケージ確認画面に表示され、
前記パッケージ確認画面には、当該パッケージに含まれる前記音源及び前記動画クリップの個数が表示されることを特徴とする、音源提供方法。
【請求項２】
前記パッケージは、同じ主題で分類された音源で構成されることを特徴とする、請求項１に記載の音源提供方法。
【請求項３】
前記パッケージは、前記ユーザ端末において、着信音、呼出音、アラーム、通知音として使用可能な音源で構成されることを特徴とする、請求項１に記載の音源提供方法。
【請求項４】
前記動画クリップは、前記ユーザ端末で前記サウンドとして設定された音源が実行される時に再生されることを特徴とする、請求項３に記載の音源提供方法。
【請求項５】
前記パッケージを提供する段階は、前記パッケージに含まれた音源をパッケージ単位で提供すること、または、前記パッケージに含まれた音源のうちからユーザによって選択された音源を個別ファイル形態で提供することを特徴とする、請求項１ないし請求項４のうちのいずれか一項に記載の音源提供方法。
【請求項６】
互いに異なる用途で製作された少なくとも二つの音源及び当該少なくとも二つの音源それぞれに関連する少なくとも二つの動画クリップで構成されたパッケージを保存する段階、およびユーザ端末で互いに異なる用途に使用される少なくとも二つのサウンドを前記パッケージに含まれた音源で一括設定する段階を含み、
前記パッケージは、当該パッケージの紹介用のイメージまたはアイコンとして使用されるサムネイルイメージを含んで構成され、
前記サムネイルイメージは前記パッケージの詳細情報を確認するためのパッケージ確認画面に表示され、
前記パッケージ確認画面には、当該パッケージに含まれる前記音源及び前記動画クリップの個数が表示される、音源設定方法。
【請求項７】
前記パッケージは、同じ主題で分類された音源で構成されることを特徴とする、請求項６に記載の音源設定方法。
【請求項８】
前記パッケージは、前記ユーザ端末において、着信音、呼出音、アラーム、通知音として使用可能な音源で構成されることを特徴とする、請求項６に記載の音源設定方法。
【請求項９】
前記動画クリップは、前記ユーザ端末で前記サウンドとして設定された音源が実行される時に再生されることを特徴とする、請求項８に記載の音源設定方法。
【請求項１０】
互いに異なる用途で製作された少なくとも二つの音源及び当該少なくとも二つの音源それぞれに関連する少なくとも二つの動画クリップをパッケージで構成する構成部、およびユーザ端末を対象として前記パッケージを提供する提供部を含み、
前記パッケージは、当該パッケージの紹介用のイメージまたはアイコンとして使用されるサムネイルイメージを含んで構成され、
前記ユーザ端末で互いに異なる用途に使用される少なくとも二つのサウンドが前記パッケージに含まれた音源で一括設定され、
前記サムネイルイメージは前記パッケージの詳細情報を確認するためのパッケージ確認画面に表示され、
前記パッケージ確認画面には、当該パッケージに含まれる前記音源及び前記動画クリップの個数が表示されることを特徴とする、音源提供システム。
【請求項１１】
互いに異なる用途で製作された少なくとも二つの音源及び当該少なくとも二つの音源それぞれに関連する少なくとも二つの動画クリップで構成されたパッケージを保存する保存部、およびユーザ端末で互いに異なる用途に使用される少なくとも二つのサウンドを前記パッケージに含まれた音源で一括設定する設定部を含み、
前記パッケージは、当該パッケージの紹介用のイメージまたはアイコンとして使用されるサムネイルイメージを含んで構成され、
前記サムネイルイメージは前記パッケージの詳細情報を確認するためのパッケージ確認画面に表示され、
前記パッケージ確認画面には、当該パッケージに含まれる前記音源及び前記動画クリップの個数が表示される、音源設定装置。
【請求項１２】
コンピュータに、音源設定を制御させる命令を実行させるためのコンピュータプログラムであって、
前記命令は、
互いに異なる用途で製作された少なくとも二つの音源及び当該少なくとも二つの音源それぞれに関連する少なくとも二つの動画クリップで構成されたパッケージを保存する命令、およびユーザ端末で互いに異なる用途に使用される少なくとも二つのサウンドを前記パッケージに含まれた音源で一括設定する命令を含み、
前記パッケージは、当該パッケージの紹介用のイメージまたはアイコンとして使用されるサムネイルイメージを含んで構成され、
前記サムネイルイメージは前記パッケージの詳細情報を確認するためのパッケージ確認画面に表示され、
前記パッケージ確認画面には、当該パッケージに含まれる前記音源及び前記動画クリップの個数が表示される、コンピュータプログラム。
【請求項１３】
請求項１２に記載のコンピュータプログラムを記録したコンピュータ読み取り可能な記録媒体。
【請求項１４】
ユーザ端末にインストールされるアプリケーションのファイルを配布するファイル配布システムであって、
前記ユーザ端末の要請に応じて前記ファイルを送信するファイル送信部を含み、
前記アプリケーションは、前記ユーザ端末を対象として互いに異なる用途で製作された少なくとも二つの音源及び当該少なくとも二つの音源それぞれに関連する少なくとも二つの動画クリップで構成されたパッケージを提供するモジュール、および前記ユーザ端末で互いに異なる用途に使用される少なくとも二つのサウンドを前記パッケージに含まれた音源で一括設定するモジュールを含み、
前記パッケージは、当該パッケージの紹介用のイメージまたはアイコンとして使用されるサムネイルイメージを含んで構成され、
前記サムネイルイメージは前記パッケージの詳細情報を確認するためのパッケージ確認画面に表示され、
前記パッケージ確認画面には、当該パッケージに含まれる前記音源及び前記動画クリップの個数が表示されることを特徴とする、ファイル配布システム。
【発明の詳細な説明】
【技術分野】
【０００１】
本発明は、ユーザ端末に適用可能な音源を提供し、これによってユーザ端末のサウンドを設定する技術に関する。
【背景技術】
【０００２】
一般的な音源提供サービスでは、着信音、アラーム、通知音などを設定することができるコンテンツを提供し、個別の音源をどのような用途に使用するかをユーザが判断し、各用途別に所望する音源を設定することができる機能を提供している。
【０００３】
例えば、韓国登録特許第１０−０４０３５７４号（移動通信端末機のための着信音ダウンロードサービス方法およびそのシステム）（特許文献１）では、サービス提供サーバが多様な着信音ファイルをデータベースに保有しており、ユーザが移動通信端末機を利用してサービス提供サーバにアクセスした後に所望する着信音ファイルを選択すると、サービス提供サーバから該当のファイルが移動通信端末機にダウンロードされた後、ユーザが移動通信端末機に保存されたファイルから一つを選択して着信音として設定することができる技術が開示されている。
【０００４】
このように、従来のサービスは、ユーザがコンテンツリストを確認し、自身が所望するコンテンツを選択してダウンロードした後、端末で特定用途のサウンドとして設定する方式で構成されている。
【０００５】
しかし、既存のサービスから提供されるコンテンツは個別の音源で提供されているため、ユーザは自身が選択した音源を利用して端末の個別サウンド設定を独立的に行わなければならず、端末の各用途別のサウンドをユーザが所望する主題に応じて一貫性をもって設定することが困難であるという問題がある。
【０００６】
例えば、歌手「ＰＳＹ」の歌「江南スタイル」を選好するユーザがスマートフォンの全般的なサウンドを「江南スタイル」コンセプトで設定するためには、（１）着信音音源を購買−＞端末着信音を変更、（２）アラーム音源を購買−＞端末アラーム音を変更、（３）通知音音源を購買−＞端末通知音を変更するなど、各用途のサウンド設定別に音源を購買して端末に適用するなどの手順を別途でそれぞれ経なければならないという不便さがある。
【先行技術文献】
【特許文献】
【０００７】
【特許文献１】韓国登録特許第１０−０４０３５７４号
【発明の概要】
【発明が解決しようとする課題】
【０００８】
本発明は、ユーザが所望する特定の主題に合うように、端末のすべてのサウンドを一括設定することができる機能を提供することを目的とする。
【０００９】
本発明は、ユーザ端末の各用途別のサウンドを一貫したコンセプトで設定することができるように、同じ主題の音源で構成されたパッケージを提供することを目的とする。
【課題を解決するための手段】
【００１０】
本発明の実施形態によると、音源提供方法は、互いに異なる用途で製作された少なくとも二つの音源をパッケージで構成する段階、およびユーザ端末を対象として前記パッケージを提供する段階を含んでもよいが、このとき、前記ユーザ端末で互いに異なる用途に使用される少なくとも二つのサウンドが前記パッケージに含まれた音源で一括設定されてもよい。
【００１１】
一実施形態によると、前記パッケージは、同じ主題で分類された音源で構成されてもよい。
【００１２】
他の一実施形態によると、前記パッケージは、前記ユーザ端末で着信音、呼出音、アラーム（ａｌａｒｍ）、通知音（ｎｏｔｉｆｉｃａｔｉｏｎ  ｓｏｕｎｄ）として使用可能な音源で構成されてもよい。
【００１３】
さらに他の一実施形態によると、前記パッケージは、前記音源それぞれに関し、前記音源と関連する動画クリップまたはサムネイル（ｔｈｕｍｂｎａｉｌ）イメージのうちの少なくとも一つの映像をさらに含んで構成されてもよい。
【００１４】
さらに他の一実施形態よると、前記映像は、前記ユーザ端末で前記サウンドとして設定された音源が実行される時に再生されてもよい。
【００１５】
さらに他の一実施形態によると、前記パッケージを提供する段階は、前記パッケージに含まれた音源をパッケージ単位で提供してもよく、前記パッケージに含まれた音源のうちからユーザによって選択された音源を個別ファイル形態で提供してもよい。
【００１６】
本発明の実施形態によると、音源設定方法は、互いに異なる用途で製作された少なくとも二つの音源で構成されたパッケージを保存する段階、およびユーザ端末で互いに異なる用途に使用される少なくとも二つのサウンドを前記パッケージに含まれた音源で一括設定する段階を含んでもよい。
【００１７】
本発明の実施形態によると、音源提供システムは、互いに異なる用途で製作された少なくとも二つの音源をパッケージで構成する構成部、およびユーザ端末を対象として前記パッケージを提供する提供部を含んでもよいが、このとき、前記ユーザ端末で互いに異なる用途に使用される少なくとも二つのサウンドが前記パッケージに含まれた音源で一括設定されてもよい。
【００１８】
本発明の実施形態によると、音源設定システムは、互いに異なる用途で製作された少なくとも二つの音源で構成されたパッケージを保存する保存部、およびユーザ端末で互いに異なる用途に使用される少なくとも二つのサウンドを前記パッケージに含まれた音源で一括設定する設定部を含んでもよい。
【００１９】
本発明の実施形態によると、コンピュータシステムに音源設定を制御させる命令（ｉｎｓｔｒｕｃｔｉｏｎ）を実行するためのコンピュータプログラム、および該コンピュータプログラムを記録するコンピュータ読み取り可能な記録媒体であって、前記命令は、互いに異なる用途で製作された少なくとも二つの音源で構成されたパッケージを保存する段階、およびユーザ端末で互いに異なる用途に使用される少なくとも二つのサウンドを前記パッケージに含まれた音源で一括設定する段階を含む方法によって前記コンピュータシステムを制御してもよい。
【００２０】
本発明の実施形態によると、ユーザ端末にインストールされるアプリケーションのファイルを配布するファイル配布システムは、前記ユーザ端末の要請に応じて前記ファイルを送信するファイル送信部を含んでもよいが、このとき、前記アプリケーションは、前記ユーザ端末を対象として互いに異なる用途で製作された少なくとも二つの音源で構成されたパッケージを提供するモジュール、および前記ユーザ端末で互いに異なる用途に使用される少なくとも二つのサウンドを前記パッケージに含まれた音源で一括設定するモジュールを含んでもよい。
【発明の効果】
【００２１】
本発明の実施形態によると、互いに異なる用途の音源で構成されたパッケージを利用してユーザ端末で使用するサウンド、例えば、着信音、呼出音、アラーム（ａｌａｒｍ）、通知音（ｎｏｔｉｆｉｃａｔｉｏｎ  ｓｏｕｎｄ）を一括設定することにより、サウンド設定に関するユーザの便宜を向上させることができる。
【００２２】
本発明の実施形態によると、主題に応じて分類された音源をパッケージで提供し、ユーザ端末で使用される多様な用途のサウンドを同じ主題の音源に一括変更することにより、端末のサウンド関連機能を一貫した主題で経験することができる。
【図面の簡単な説明】
【００２３】
【図１】本発明の一実施形態において、ユーザ端末と音源提供システムの関係を概括的に示した図である。
【図２】本発明の一実施形態において、音源提供システムの内部構成を示したブロック図である。
【図３】本発明の一実施形態において、サウンド設定のためのサービス画面を説明するための例示図である。
【図４】本発明の一実施形態において、サウンド設定のためのサービス画面を説明するための例示図である。
【図５】本発明の一実施形態において、サウンド設定のためのサービス画面を説明するための例示図である。
【図６】本発明の一実施形態において、ユーザ端末上に実現される音源設定装置の内部構成を示したブロック図である。
【図７】本発明の一実施形態において、ユーザ端末の電話受信画面を説明するための例示図である。
【図８】本発明の一実施形態において、音源提供システムからサウンドパッケージを提供する音源提供方法を示したフローチャートである。
【図９】本発明の一実施形態において、サウンドパッケージを利用してユーザ端末のサウンドを設定する音源設定方法を示したフローチャートである。
【発明を実施するための形態】
【００２４】
以下、本発明の実施形態について、添付の図面を参照しながら詳細に説明する。なお、以下に示す実施形態は本発明の実施形態の一例であって、本発明はこれらの実施形態に限定されるものではない。
【００２５】
本明細書において「サウンド」とは、着信音（ｒｉｎｇ  ｔｏｎｅ）、呼出音（ｒｉｎｇ  ｂａｃｋ  ｔｏｎｅ）、アラーム（ａｌａｒｍ）、モーニングコール（ｍｏｒｎｉｎｇ  ｃａｌｌ）、プッシュ通知（例えば、メッセージ受信音やメッセンジャー受信音など）や各種反応通知のような通知音（ｎｏｔｉｆｉｃａｔｉｏｎ  ｓｏｕｎｄ）など、ユーザに端末状態や特定情報を知らせるためにユーザ端末で表現されるすべての聴覚的な要素を意味してもよい。
【００２６】
また、「ユーザ端末」は、スマートフォン（ｓｍａｒｔ  ｐｈｏｎｅ）、タブレット（ｔａｂｌｅｔ）、ノートパソコン（ｌａｐｔｏｐ  ｃｏｍｐｕｔｅｒ）、デジタル放送用端末機、ＰＭＰ（Ｐｏｒｔａｂｌｅ  Ｍｕｌｔｉｍｅｄｉａ  Ｐｌａｙｅｒ）、ナビゲーション（ｎａｖｉｇａｔｉｏｎ）端末など、サウンド設定機能を提供する端末機であればいずれの端末機でも可能である。
【００２７】
本発明では、ユーザ端末で使用するサウンドを一括設定ないし変更することができる技術を提案する。
【００２８】
図１は、本発明の一実施形態において、ユーザ端末と音源提供システムの関係を概括的に示した図である。図１は、音源提供システム１００とユーザ端末２００を示している。図１において矢印は、音源提供システム１００とユーザ端末２００の間に有線／無線ネットワークを利用してデータが送受信されることを意味してもよい。
【００２９】
音源提供システム１００は、ユーザ端末２００の着信音、呼出音、アラーム、モーニングコール、各種通知音など（以下、「サウンド」と通称する）を設定することができるコンテンツを提供するサービスプラットホームの役割をする。このとき、音源提供システム１００は、多様な用途のサウンドを一括して購買ないし設定できるように、着信音、呼出音、アラーム、モーニングコール、通知音などとして製作された多くの音源をパッケージ（以下、「サウンドパッケージ（ｓｏｕｎｄ  ｐａｃｋａｇｅ）」と通称する）で構成して提供してもよい。
【００３０】
音源提供システム１００は、音源プロバイダ（ｐｒｏｖｉｄｅｒ）から登録された音源を保存および維持するデータベースシステムと連動したり、データベースシステムと一つのシステムに結合した形態で構成されてもよい。これにより、音源提供システム１００は、ユーザにサウンドパッケージを提供し、これによって発生する収益を音源プロバイダに分配する収益分配型サービスモデルを実現してもよい。
【００３１】
ユーザ端末２００とは、音源提供システム１００に関するウェブ／モバイルサイトのアクセス、またはサービス専用アプリケーションのインストールおよび実行が可能なすべての端末装置を意味してもよい。このとき、ユーザ端末２００は、ウェブ／モバイルサイトまたは専用アプリケーションを利用してサービス画面の構成、データ入力、データ送受信、データ保存などのサービス全般に必要な動作を実行してもよい。
【００３２】
特に、ユーザ端末２００は、ウェブ／モバイルサイトまたは専用アプリケーションを利用して音源提供システム１００から提供されるサウンドパッケージを表示するパブリッシャ（ｐｕｂｌｉｓｈｅｒ）の役割をすることは勿論、サウンドパッケージを直接消費する消費主体になってもよい。
【００３３】
図２は、本発明の一実施形態において、音源提供システムの内部構成を示したブロック図である。図２に示すように、音源提供システム１００は、構成部１１０と提供部１２０を含んで構成されてもよい。
【００３４】
構成部１１０は、互いに異なる用途として製作された少なくとも二つの音源をパッケージで構成する役割をする。構成部１１０は、システムで保有していたり連携可能なデータベースに保存されているミュージックアルバム、ゲーム、映画、キャラクタなどの多様なコンテンツを活用してサウンドパッケージを構成してもよい。このとき、サウンドパッケージで構成される音源は、ユーザ端末で使用されるサウンドの用途を考慮し、コンテンツでクリッピング（ｃｌｉｐｐｉｎｇ）された一部区間であるサウンドクリップを意味してもよい。
【００３５】
一例として、構成部１１０は、ユーザ端末で使用される各用途別の音源（例えば、着信音用音源、アラーム用音源、通知音用音源など）でサウンドパッケージを構成してもよい。例えば、構成部１１０は、着信音の用途に使用される１分以下の音源を１つ以上、アラームの用途に使用される１分以下の音源を１つ以上、通知音の用途に使用される５秒以下の音源を１つ以上、サウンドパッケージに含ませてもよい。
【００３６】
他の例として、構成部１１０は、サウンドパッケージで構成された音源に関し、動画クリップおよびサムネイルイメージのうちの少なくとも一つの映像をさらに含んでサウンドパッケージを構成してもよい。このとき、映像とは、ユーザ端末でサウンドに設定された音源が再生される時に再生されたり、ユーザ端末上でサウンドパッケージが表示されたりするときに示されるビデオデータを意味してもよい。
【００３７】
例えば、構成部１１０は、着信音再生時再生される１分以下の動画クリップを１つ以上、アラーム再生時に再生される１分以下の動画クリップを１つ以上、サウンドパッケージの広報／紹介用イメージやアイコンとして使用されるサムネイルイメージを追加で含ませてサウンドパッケージを構成してもよい。
【００３８】
さらに他の例として、構成部１１０は、同じ主題で分類された音源でサウンドパッケージを構成してもよい。言い換えれば、構成部１１０は、キャラクタ、有名人、ゲーム、アルバムなどのように共通したテーマ（ｔｈｅｍｅ）をもつ音源でサウンドパッケージを構成してもよい。
【００３９】
例えば、構成部１１０は、特定音楽において各用途別にクリッピングされた音源で一つのサウンドパッケージを構成したり、特定歌手の多様な音楽において各用途別にクリッピングされた音源で一つのサウンドパッケージを構成したり、特定ジャンルの多様な音楽において各用途別にクリッピングされた音源で一つのサウンドパッケージを構成したり、特定メッセージ（例えば、誕生日、クリスマス、新年などに送るメッセージ）を込めた多様な音楽において各用途別にクリッピングされた音源で一つのサウンドパッケージを構成するなど、多様な基準で分類された音源でサウンドパッケージを構成してもよい。
【００４０】
提供部１２０は、ユーザ端末を対象としてサウンドパッケージを提供する役割をする。一例として、提供部１２０は、ユーザ端末にインストールされたサービス専用アプリケーション（アプリ）を利用してサウンドパッケージを表示したり、自社または連動可能なウェブ／モバイルサイトを利用してサウンドパッケージを表示してもよい。
【００４１】
他の例として、提供部１２０は、サウンドパッケージをアプリストアに個別アプリとして登録し、有料または無料でユーザに供給してもよい。このとき、提供部１２０は、特定主題で分類されて多様な用途として製作された音源と映像をパッケージ単位で提供することが基本であり、ユーザの要請に応じてサウンドパッケージからユーザによって選択された音源と映像を個別ファイル形態で提供することも可能である。
【００４２】
また、提供部１２０は、サービス専用アプリまたはウェブ／モバイルサイトの通信チャンネルを利用してユーザ端末にサウンドパッケージのダウンロードをサービスしてもよい。
【００４３】
ユーザはユーザ端末を利用して音源提供システムから提供されるサウンドパッケージを検索ないし購買してもよい。例えば、音源提供システムは、図３に示すように、ユーザ端末上にインストールされたサービス専用アプリを利用してサウンドパッケージリスト３００を提供してもよい。このとき、リスト３００に含まれたサウンドパッケージ３１０それぞれには、該当のサウンドパッケージを紹介するサムネイルイメージ（図示せず）と、パッケージに含まれた音源の簡略情報（例えば、通知音用途の音源４つ、着信音／お知らせ用途の音源６つ、着信音／お知らせ用途の動画クリップ５つなど）３１１などが表示されてもよい。
【００４４】
他の例として、音源提供システムは、図４に示すように、モバイルアプリを販売するアプリストア媒体を利用して個別アプリとして登録されたサウンドパッケージリスト４００を提供してもよい。
【００４５】
これも同様に、リスト４００に含まれたサウンドパッケージそれぞれに関してサムネイルイメージや該当パッケージの簡略情報などが表示されてもよい。このとき、サウンドパッケージは、サービス専用アプリ上で検索から購買までが行われたり、あるいはサービス専用アプリでユーザに購買意思がある場合にはアプリストアに移動し、アプリストア上で購買が行われてもよい。
【００４６】
これにより、ユーザは、音源提供システムから提供されるサウンドパッケージリストから特定サウンドパッケージを選択し、該当のパッケージ内に含まれた音源と映像を確認することができる。
【００４７】
図５は、サウンドパッケージの詳細情報を確認するためのパッケージ確認画面５００を例示的に示している。例えば、パッケージ確認画面５００には、該当のパッケージを紹介するためのサムネイルイメージ（図示せず）と、用途別の音源と映像リストとして着信音／お知らせ用途の音源リスト５１０、着信音／お知らせ用途の動画クリップリスト５２０、通知音用途の音源リスト５３０が含まれてもよい。ユーザはそれぞれのリスト５１０、５２０、５３０からパッケージに含まれた各用途別の音源と映像を個別に確認してもよい。さらに、パッケージ確認画面５００には、選択されたサウンドパッケージを購買ないしダウンロードするためのメニュー、選択されたサウンドパッケージを利用してユーザ端末のサウンドを設定するためのメニュー、選択されたサウンドをメールサービス、メッセンジャーサービス、ソーシャルネットワークサービス、無線送信機能、メモ機能などを利用して共有するためのメニューなど、サービスに関する各種メニューを活性化して表示されてもよい。
【００４８】
図６は、本発明の一実施形態において、音源設定装置の内部構成を示したブロック図である。図６に示すように、音源設定装置２００は、保存部２１０と設定部２２０を含んで構成されてもよい。このとき、音源設定装置２００は、サウンドパッケージの実質的な消費主体であるユーザ端末上に実現されてもよい。
【００４９】
保存部２１０は、多様な用途の音源で構成されたサウンドパッケージを保存する役割をする。言い換えれば、保存部２１０は、ユーザがユーザ端末のサウンドとして使用するために音源提供システムからダウンロードしたサウンドパッケージを保存および維持してもよい。
【００５０】
設定部２２０は、ユーザ端末で互いに異なる用途に使用される少なくとも二つのサウンドをサウンドパッケージに含まれた音源で一括して設定してもよい。一例として、設定部２２０は、ユーザが選択したサウンドパッケージ内に含まれた音源に、ユーザ端末の着信音、アラーム、通知音などのサウンド設定を一括して変更してもよい。
【００５１】
さらに、設定部２２０は、該当のサウンドパッケージに含まれたビデオクリップを、ユーザ端末で着信音／アラーム再生時に共に再生されるサウンド映像として設定してもよい。
【００５２】
このとき、設定部２２０は、一つのサウンドパッケージに各用途別の音源やビデオクリップが２つ以上含まれている場合、ユーザ端末の各サウンドまたはサウンド映像として設定する対象をユーザからの選択を受けて設定してもよい。これにより、保存部２１０は、サウンドパッケージに含まれた音源と映像のうち、ユーザ端末のサウンドとして設定された音源とサウンド映像として設定されたビデオクリップに対応するインデックス値を保存してもよい。
【００５３】
ユーザ端末では、サウンド出力が求められるイベント（例えば、電話着信信号、メッセージ受信信号、アラーム発生信号など）が感知される場合、該当の信号に対応する用途のサウンドを再生し、サウンドとして設定された音源とサウンド映像として設定されたビデオクリップを同時に再生してもよい。
【００５４】
図７は、ユーザ端末の電話受信画面７００を例示的に示したものであって、ユーザ端末では電話がきたときに該当の信号をもち、着信音として設定された音源７０１とビデオクリップ７０２を同時に再生してもよい。
【００５５】
したがって、本実施形態では、多様な用途の音源で構成されたサウンドパッケージを提供することにより、ユーザ端末の多様なサウンドをパッケージに含まれた音源で一括設定することができる。
【００５６】
図８は、本発明の一実施形態において、音源提供システムからサウンドパッケージを提供する音源提供方法を示したフローチャートである。一実施形態に係る音源提供方法は、図２を参照しながら説明した音源提供システムによってそれぞれの段階が実行されてもよい。
【００５７】
段階（Ｓ８１０）で、音源提供システムは、互いに異なる用途として製作された少なくとも二つの音源をパッケージで構成してもよい。このとき、サウンドパッケージで構成される音源は、ユーザ端末で使用されるサウンドの用途を考慮し、コンテンツでクリッピング（ｃｌｉｐｐｉｎｇ）された一部区間であるサウンドクリップを意味してもよい。
【００５８】
一例として、音源提供システムは、ユーザ端末で使用される各用途別の音源（例えば、着信音用音源、アラーム用音源、お知らせ音用音源など）でサウンドパッケージを構成してもよい。
【００５９】
他の例として、音源提供システムは、サウンドパッケージで構成された音源に関し、動画クリップおよびサムネイルイメージのうちの少なくとも一つの映像をさらに含んでサウンドパッケージを構成してもよい。このとき、映像は、ユーザ端末でサウンドに設定された音源が再生される時に再生されたり、ユーザ端末上でサウンドパッケージが表示されるときに示されるビデオデータを意味してもよい。
【００６０】
さらに他の例として、音源提供システムは、同じ主題で分類された音源でサウンドパッケージを構成してもよい。言い換えれば、音源提供システムは、キャラクタ、有名人、ゲーム、アルバムなどのように共通したテーマ（ｔｈｅｍｅ）をもつ音源でサウンドパッケージを構成してもよい。
【００６１】
段階（Ｓ８２０）で、音源提供システムは、ユーザ端末を対象としてサウンドパッケージを提供してもよい。一例として、音源提供システムは、ユーザ端末にインストールされたサービス専用アプリを利用してサウンドパッケージを表示したり、自社または連動可能なウェブ／モバイルサイトを利用してサウンドパッケージを表示してもよい。
【００６２】
他の例として、音源提供システムは、サウンドパッケージをアプリストアに個別アプリとして登録し、有料または無料でユーザに供給してもよい。このとき、音源提供システムは、特定の主題で分類されて多様な用途として製作された音源と映像をパッケージ単位で提供することが基本となり、ユーザの要請に応じてサウンドパッケージからユーザによって選択された音源と映像を個別ファイル形態で提供することも可能である。
【００６３】
さらに、音源提供システムは、サービス専用アプリまたはウェブ／モバイルサイトの通信チャンネルを利用してユーザ端末にサウンドパッケージのダウンロードをサービスしてもよい。
【００６４】
図９は、本発明の一実施形態において、サウンドパッケージを利用してユーザ端末のサウンドを設定する音源設定方法を示したフローチャートである。一実施形態に係る音源設定方法は、図６を参照しながら説明した音源設定装置によってそれぞれの段階が実行されてもよい。
【００６５】
段階（Ｓ９１０）で、音源設定装置は、ユーザがユーザ端末のサウンドとして使用するために音源提供システムからダウンロードしたサウンドパッケージを保存および維持してもよい。
【００６６】
段階（Ｓ９２０）で、音源設定装置は、ユーザ端末で互いに異なる用途に使用される少なくとも二つのサウンドをサウンドパッケージに含まれた音源で一括して設定してもよい。一例として、音源設定装置は、ユーザが選択したサウンドパッケージ内に含まれた音源に、ユーザ端末の着信音、アラーム、通知音などのようなサウンド設定を一括して変更してもよい。
【００６７】
さらに、音源設定装置は、該当のサウンドパッケージに含まれたビデオクリップを、ユーザ端末で着信音／アラーム再生時に共に再生されるサウンド映像として設定してもよい。
【００６８】
音源設定装置は、一つのサウンドパッケージに各用途別の音源やビデオクリップが二つ以上含まれている場合、ユーザ端末の各サウンドまたはサウンド映像として設定する対象をユーザからの選択を受けて設定してもよい。このとき、音源設定装置は、サウンドパッケージに含まれた音源と映像のうち、ユーザ端末のサウンドとして設定された音源とサウンド映像として設定されたビデオクリップに対応するインデックス値を保存してもよい。
【００６９】
これにより、ユーザ端末では、多様な用途のサウンドをパッケージで提供された同じ主題の音源に一括して変更することができる。また、ユーザ端末では、サウンド出力が求められるイベント（例えば、電話着信信号、メッセージ受信信号、アラーム発生信号など）が感知される場合、該当の信号に対応する用途のサウンドを出力し、サウンドとして設定された音源とサウンド映像として設定されたビデオクリップを同時に再生することができる。
【００７０】
上述した音源提供方法および音源設定方法は、図１ないし図７を参照しながら説明した音源提供システムと音源設定装置の詳細内容に基づき、さらに短縮された動作または追加される動作を含んでもよい。また、二つ以上の動作を組み合わせてもよく、動作の順序や位置が変更してもよい。
【００７１】
本発明の実施形態に係る方法は、多様なコンピュータ手段によって実行が可能なプログラム命令（ｉｎｓｔｒｕｃｔｉｏｎ）形態で実現されてコンピュータで読み取り可能な媒体に記録されてもよい。特に、本実施形態では、互いに異なる用途として製作された少なくとも二つの音源で構成されたサウンドパッケージを保存する段階、およびユーザ端末で互いに異なる用途に使用される少なくとも二つのサウンドをサウンドパッケージに含まれた音源で一括設定する段階をコンピュータに実行させるプログラムが記録されるコンピュータ読み取り可能な記録媒体を含んでもよい。
【００７２】
本実施形態に係るプログラムは、ＰＣで実行可能なプログラムまたはモバイル端末専用のアプリケーションで構成されてもよい。本実施形態におけるサウンドパッケージ提供のためのアプリは、独立的に動作するプログラム形態で実現されたり、あるいは特定のアプリケーション（例えば、着信音プログラム、アプリストアプログラムなど）のイン−アプリ（ｉｎ−ａｐｐ）形態で構成され、前記特定のアプリケーション上で動作可能なように実現されてもよい。
【００７３】
また、本発明の実施形態に係る方法は、ユーザ端末のサウンドとして使用が可能なコンテンツを提供するサーバシステムと関連したアプリケーションがユーザ端末機を制御して実行されてもよい。
【００７４】
一例として、このようなアプリケーションは、ユーザ端末を対象として互いに異なる用途として製作された少なくとも二つの音源で構成されたサウンドパッケージを提供するモジュール、およびユーザ端末で互いに異なる用途に使用される少なくとも二つのサウンドをサウンドパッケージに含まれた音源で一括設定するモジュールを含んでもよい。
【００７５】
また、このようなアプリケーションは、ファイル配布システムが提供するファイルを利用してユーザ端末機にインストールされてもよい。一例として、ファイル配布システムは、ユーザ端末機の要請に応じて前記ファイルを送信するファイル送信部（図示せず）を含んでもよい。
【００７６】
このように、本発明の実施形態によると、互いに異なる用途の音源で構成されたパッケージを利用してユーザ端末で使用されるサウンド、例えば、着信音、呼出音、アラーム（ａｌａｒｍ）、通知音（ｎｏｔｉｆｉｃａｔｉｏｎ  ｓｏｕｎｄ）を一括設定することにより、サウンド設定に関するユーザの便宜を向上させることができる。
【００７７】
また、本発明の実施形態によれば、主題に応じて分類された音源をパッケージで提供し、ユーザ端末で使用される多様な用途のサウンドを同じ主題の音源に一括変更することにより、端末のサウンド関連機能を一貫した主題で経験することができる。
【００７８】
上述した装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる異なる装置のように、１つ以上の汎用コンピュータまたは特殊目的コンピュータを利用して実現されてもよい。
【００７９】
処理装置は、オペレーション・システム（ＯＳ）およびオペレーション・システム上で実行される１つ以上のソフトウェアアプリケーションを実行してもよい。また、処理装置は、ソフトウェアの実行に応答し、データをアクセス、保存、操作、処理、および生成してもよい。
【００８０】
理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよい。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００８１】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望のとおりに動作するように処理装置を構成したり、独立的または結合的に（ｃｏｌｌｅｃｔｉｖｅｌｙ）処理装置を命令したりしてもよい。
【００８２】
ソフトウェアおよび／またはデータは、処理装置によって解釈されたり処理装置に命令またはデータを提供したりするために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ記録媒体または装置、または送信される信号波（ｓｉｇｎａｌ  ｗａｖｅ）に永久的または一時的に具体化（ｅｍｂｏｄｙ）されてもよい。
【００８３】
ソフトウェアは、ネットワークによって連結したコンピュータシステム上に分散し、分散した方法によって格納されたり実行されたりしてもよい。ソフトウェアおよびデータは、１つ以上のコンピュータで読み取り可能な記録媒体に格納されてもよい。
【００８４】
実施形態に係る方法は、多様なコンピュータ手段によって実行が可能なプログラム命令形態で実現されてコンピュータで読み取り可能な記録媒体に記録されてもよい。コンピュータで読み取り可能な記録媒体は、プログラム命令、データファイル、データ構造などを単独または組み合わせて含んでもよい。記録媒体に記録されるプログラム命令は、実施形態のために特別に設計されて構成されたものであってもよく、コンピュータソフトウェア当業者に公知されて使用可能なものであってもよい。
【００８５】
コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。
【００８６】
プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００８７】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００８８】
したがって、異なる実施形態であっても、特許請求の範囲と均等なものであれば、添付される特許請求の範囲に属する。
【符号の説明】
【００８９】
１００：音源提供システム
１１０：構成部
１２０：提供部
２００：ユーザ端末または音源設定装置
２１０：保存部
２２０：設定部
【図１】
0005901699.tif 000002
【図２】
0005901699.tif 000003
【図３】
0005901699.tif 000004
【図４】
0005901699.tif 000005
【図５】
0005901699.tif 000006
【図６】
0005901699.tif 000007
【図７】
0005901699.tif 000008
【図８】
0005901699.tif 000009
【図９】
0005901699.tif 000010